(57)【要約】【課題】季節毎の公平・高度な料金サービスを行うガス遮断装置を提供する。【解決手段】ガス流量を検出する流量検出手段１９と、その検出した流量を計測する流量計測手段２０と、その計測流量が特定の流量区分に属するか否かを判定する流量区分判定手段２１と、カレンダー手段２２と、季節がいつからいつまでかを入力する季節期間入力手段２３と、前記カレンダー手段２２及び季節期間入力手段２３から現在が入力された季節に合致するか否かを判定する季節内流量区分使用判定手段２５と、前記流量区分判定手段２１及び季節判定手段２４から現在が入力された季節内でかつ特定の流量区分が使用されているか否かを判定する季節内流量区分使用判定手段２５と、季節内に特定の流量区分がどれだけ使用されたかをカウントする季節内流量区分使用カウント手段２６とを有する。【選択図】図１
2006047084.tif 000002
【特許請求の範囲】
【請求項１】
ガス流量を検出する流量検出手段と、前記流量検出手段で検出した流量を計測する流量計測手段と、前記流量計測手段で計測した流量が特定の流量区分に属するか否かを判定する流量区分判定手段と、カレンダー手段と、季節がいつからいつまでかを入力する季節期間入力手段と、前記カレンダー手段及び季節期間入力手段から現在が前記季節に合致するか否かを判定する季節判定手段と、前記流量区分判定手段及び季節判定手段から現在が前記季節内でかつ特定の流量区分が使用されているか否かを判定する季節内流量区分使用判定手段と、前記季節内に特定の流量区分がどれだけ使用されたかをカウントする季節内流量区分使用カウント手段とを有するガス遮断装置。
【発明の詳細な説明】
【技術分野】
【０００１】
本発明は、継続使用時間での料金サービスを提供するガス遮断装置において、同じ流量区分２に属するガスストーブとガステーブルとを、現在が季節内に入っているか否かを判定することで、ガス料金サービスの提供を行う／行わないを自動的に実施する事により、公平・高度なガス料金サービス提供を目的としたガス遮断装置に関する。
【背景技術】
【０００２】
従来のこの種のガス遮断装置は、図２に示すような構成になっていた（例えば、特許文献１参照）。
【０００３】
図２において、１はガスメータで、ガス供給ラインに設けられる。２は流量検出部で、ガス供給管を流れるガス流量を検出する。３は流量演算部で、流量検出部２の検出出力によりガス流量を演算する。４は通常積算値演算部で、流量演算部３で演算されたガス流量を積算する。５は通常積算値記憶部で、演算されたガス流量積算値を記憶する。６は別のガスメータのガス流量演算出力部で、ガスメータ１の流量演算部３で演算されたガス流量及び他のガスメータ（図示せず）での流量演算出力６を予め定められた区分毎に積算する複数の第２の積算値演算部と、演算された区分毎のガス流量積算値を記憶する複数の第２の積算値記憶部とからなる。流量演算部３によって演算されたガス流量を予め定められた時間帯別に積算する時間帯別積算値演算部７及び演算された時間帯別積算値を記憶する時間帯別積算値記憶手段８と、予め定められた流量区分別及び入力ポート別に積算する流量区分別積算値演算部９及び演算された流量区分別積算値を記憶する流量区分別積算値を記憶する流量区分別積算値記憶部１０と、予め定められた設定ガス量を越える超過ガス量を積算する超過量積算値演算部１１及び演算された超過量積算値を記憶する超過量積算値記憶部１２とがある。１３、１４、１５、１６は表示部で、各積算値を表示する。１７は料金演算部、１８は料金表示部で各記憶部５、８、１０、１２に記憶された積算量と各料金単価とからガス料金を計算し、料金表示部１８で表示できるようにしている。
【０００４】
次に従来例の構成の動作を説明する。時間帯別積算値演算部７では、例えば土曜日及び日曜日と、平日における２２時から７時迄の時間帯を含む土日深夜時間帯と、それ以外の平日時間帯との２つの時間帯区分に分け、ガス使用量の積算値を演算し、時間帯別積算値記憶手段８に記憶保持される。次に流量区分別積算値演算部９は割安使用料金にするガス器具に取り付けた他のガスメータの流量演算出力６を積算記憶し、割安料金を算出する。消費者宅で使用されるガス器具がガスコンロとガスヒートポンプ（ＧＨＰ）と給湯器の場合、使用されている時の流量区分は各消費者宅の使用ガス器具の組み合わせで決まっており、使用時間に応じて時間帯別のガス器具毎の使用量を把握することができる。一方、超過量積算値演算部１１は、予め設定されているガス量設定値を越える超過ガス量のみ積算する。この超過ガス量についても通常料金に比較して割安料金を適用する等のことができる。
【特許文献１】特開２０００−２０５９２号公報
【発明の開示】
【発明が解決しようとする課題】
【０００５】
しかしながら、上記解決の構成では下記問題点がある。つまり、冬場におけるストーブの使用に対して割安料金を適用しようとする方法として、特定の流量区分で長時間ガスを使った場合に初めて料金サービスを提供するといった料金施策を行おうとした場合において、ガス消費量がほぼ同じガスストーブとガステーブルは同じ流量区分となるので区別がつかず、ストーブが使われない夏場でも、本来料金サービス提供を一時中断したくても中断できない、といった問題点がある。
【０００６】
本発明は、上記課題を解決するもので、冬場でのストーブの使用でのガス料金サービスを提供する事を可能とし、また夏場でのガステーブル使用でのガス料金サービス提供を阻止する事ができ、公平・高度な料金サービスが可能なガス遮断装置を提供する事を目的とする。
【課題を解決するための手段】
【０００７】
前記従来の課題を解決するために、本発明のガス遮断装置は、ガス流量を検出する流量検出手段と、前記流量検出手段で検出した流量を計測する流量計測手段と、前記流量計測手段で計測した流量が特定の流量区分に属するか否かを判定する流量区分判定手段と、カレンダー手段と、季節がいつからいつまでかを入力する季節期間入力手段と、前記カレンダー手段及び季節期間入力手段から現在が前記季節に合致するか否かを判定する季節判定手段と、前記流量区分判定手段及び季節判定手段から現在が前記季節内でかつ特定の流量区分が使用されているか否かを判定する季節内流量区分使用判定手段と、前記季節内に特定の流量区分がどれだけ使用されたかをカウントする季節内流量区分使用カウント手段とを有する。
【０００８】
この事により、夏場にガステーブルを使用しても特定の流量区分で長時間使用での料金サービスの提供を阻止する事ができ、より公平・高度な料金サービスを提供する事となる。
【発明の効果】
【０００９】
本発明のガス遮断装置は、特定の流量区分と指定された季節に該当するガス使用量を積算することができるので、季節に応じて使用されるガス機器に対応したガス料金サービスの提供が可能となり、より公平・高度な料金サービスを提供する事が可能となる。
【発明を実施するための最良の形態】
【００１０】
第１の発明は、ガス流量を検出する流量検出手段と、前記流量検出手段で検出した流量を計測する流量計測手段と、前記流量計測手段で計測した流量が特定の流量区分に属するか否かを判定する流量区分判定手段と、カレンダー手段と、季節がいつからいつまでかを入力する季節期間入力手段と、前記カレンダー手段及び季節期間入力手段から現在が前記季節に合致するか否かを判定する季節判定手段と、前記流量区分判定手段及び季節判定手段から現在が前記季節内でかつ特定の流量区分が使用されているか否かを判定する季節内流量区分使用判定手段と、前記季節内に特定の流量区分がどれだけ使用されたかをカウントする季節内流量区分使用カウント手段とを有するもので、冬場のガスストーブの使用に対して割安な料金サービスを提供する場合に、ガス消費量が同じ流量区分に区分されるガステーブルとの区別を行うことが出来、夏場にガステーブルを使用しても流量区分での長時間使用での料金サービスの提供を阻止する事ができ、より公平・高度な料金サービスを提供する事となる。
【００１１】
以下、本発明の実施例を図１を参照して説明する。
【００１２】
以下、本発明の実施の形態について、図面を参照しながら説明する。なお、この実施の形態によって本発明が限定されるものではない。
【００１３】
（実施の形態１）
図１は本発明の実施の形態のおけるガス遮断装置で、１９は流量検出手段、２０は流量計測手段、２１は流量区分判定手段、２２はカレンダー手段、２３は季節期間入力手段、２４は季節判定手段、２５は季節内流量区分使用判定手段、２６は季節内流量区分使用カウント手段である。
【００１４】
次に本発明の動作、作用を説明する。流量検出手段１９はガス流量を接点等の電気的信号に変換しており、流量計測手段２０は前記電気的信号を受けガス流量がどの程度流れているかを計測しており、流量区分判定手段２１は計測されたガス流量が複数に区分された流量区分のどの流量区分に属するか否かを判定している。一方、カレンダー手段２２は常時カレンダーを計時しており、季節期間入力手段２３は料金サービスを適用する季節がいつからいつまでかを入力して季節を指定するものでる。、季節判定手段２４はカレンダー手段２２及び季節期間入力手段２３からの信号で現在が特定された季節内か否かを判定しており、季節内流量区分使用判定手段２５は流量区分判定手段２１及び季節判定手段２４からの信号により現在が料金サービスを適用する季節内でかつ流量区分が使用されているか否かを判定しており、季節内流量区分使用カウント手段２６は季節内流量区分使用判定手段２５が料金サービスを適用するガスの使用が行われていると判定した場合に流量検出手段１からの流量信号をカウントしている。
【００１５】
次に、冬場に使用されるガスストーブのガス使用量に対して割安料金を適用する場合について具体例を説明する。
【００１６】
この場合、季節は冬場ということで、季節期間入力手段２３により、季節として１０月１日〜３月３１日を設定し、流量区分は１３個に区分された流量区分の内、ガスストーブのガス消費流量が区分２に該当すると仮定する。この条件において、流量区分判定手段２１にて現在流れている流量が区分２であると判定し、またカレンダー手段２２と季節期間入力手段２３との比較により季節判定手段２４が現在が指定された季節であると判定した場合、季節内流量区分使用判定手段２５は流量検出手段１からの信号のカウント許可を季節内流量区分使用カウント手段２６に出力し、季節内流量区分使用カウント手段２６は季節内流量区分使用判定手段２５からの許可信号がある時のみ流量検出手段１からの信号をカウントする。
【００１７】
一方、流量区分判定手段２１にて現在流れている流量が区分２でないと判定した場合、季節内流量区分使用判定手段２５は流量検出手段１からの信号のカウント許可を季節内流量区分使用カウント手段２６に出力せず、季節内流量区分使用カウント手段２６流量検出手段１からの信号をカウントしない。
【００１８】
また、流量区分判定手段２１にて現在流れている流量が区分２であると判定した場合でも、カレンダー手段２２と季節期間入力手段２３との比較により季節判定手段２４が現在が指定された季節ではないと判定した場合、季節内流量区分使用判定手段２５は流量検出手段１からの信号のカウント許可を季節内流量区分使用カウント手段２６に出力せず、季節内流量区分使用カウント手段２６流量検出手段１からの信号をカウントしない。
【００１９】
これにより、冬場でのガスストーブ使用でのガス料金サービスを提供する事が可能となり、また夏場でのガステーブル使用でのガス料金サービス提供を阻止する事ができ、公平・高度な料金サービスを提供する事となる。
【産業上の利用可能性】
【００２０】
以上のように、本発明にかかる季節内流量区分使用量カウント機能付きガス遮断装置は、例えば電力量を計測し使用量を積算する電力計や水道の使用量を計測する水道メータ等の用途に適用できる。
【図面の簡単な説明】
【００２１】
【図１】本発明の実施の形態１のガス遮断装置の構成を示すブロック図
【図２】従来のガス遮断装置の構成を示すブロック図
【符号の説明】
【００２２】
１９  流量検出手段
２０  流量計測手段
２１  流量区分判定手段
２２  カレンダー手段
２３  季節期間入力手段
２４  季節判定手段
２５  季節内流量区分使用判定手段
２６  季節内流量区分使用カウント手段
【図１】
2006047084.tif 000003
【図２】
2006047084.tif 000004